(57)【要約】【課題】操作性を向上させ、通信内容を確実に記憶する。【解決手段】制御部２は、発呼時に発呼先の着信が検知されるか、又は着信時に操作部１１における着信操作が検出されると、通信内容としての例えば送話部１２のマイクロフォンからの入力信号及び受話部１３のスピーカへの出力信号を音声処理部６に入力させ、音声処理部６に圧縮符号化処理を行わせ、処理結果を記憶部３に記憶させる。また、制御部２は、通話先の切断が検出されるか、又は操作部１１における切断操作が検出されると、記憶を終了させる。【選択図】図１
2005252632.tif 000002
【特許請求の範囲】
【請求項１】
通話内容の記憶を開始させるための記憶開始指示情報及び前記通話内容の記憶を終了させるための記憶終了指示情報を含む記憶指示設定情報を記憶する設定情報記憶手段と、前記通話内容を記憶する通話内容記憶手段と、前記通話内容を、予め前記設定情報記憶手段に記憶された前記記憶指示設定情報に基づいて、前記通話内容記憶手段に記憶させる記憶制御手段とを備えたことを特徴とする自動通話記録機能付き通話端末。
【請求項２】
前記設定情報記憶手段は、前記通話内容記憶手段に記憶された前記通話内容のうちの所定の通話内容を削除する際に用いられる削除設定情報を記憶し、
前記記憶制御手段は、予め設定された前記削除設定情報に基づいて、前記通話内容記憶手段に記憶された前記通話内容を削除することを特徴とする請求項１記載の自動通話記録機能付き通話端末。
【請求項３】
前記記憶制御手段は、前記通話内容記憶手段の記憶容量が不足となった場合は、前記削除設定情報に基づいて、古い前記通話内容から削除して、代わりに、新しい前記通話内容を記憶させることを特徴とする請求項２記載の自動通話記録機能付き通話端末。
【請求項４】
前記削除設定情報は、削除のための優先順位情報を含み、前記記憶制御手段は、前記通話内容記憶手段の記憶容量が不足となった場合は、前記優先順位情報に基づいて、前記通話内容を削除することを特徴とする請求項２又は３記載の自動通話記録機能付き通話端末。
【請求項５】
前記通話内容について通話の相手先を識別して相手先識別情報を取得する相手先識別手段を備え、前記記憶設定情報は、前記通話内容を記憶すべき要記憶相手先情報を含み、前記記憶制御手段は、前記相手先識別情報及び前記要記憶相手先情報に基づいて、前記通話内容を選別して、前記通話内容記憶手段に記憶することを特徴とする請求項１乃至４のいずれか１に記載の自動通話記録機能付き通話端末。
【請求項６】
前記記憶開始指示情報は、通信確立時に前記記憶制御手段が前記通話内容記憶手段に前記通話内容の記憶を開始させるための情報であり、前記記憶終了指示情報は、通信切断時に前記記憶制御手段が前記通話内容記憶手段に前記通話内容の記憶を終了させるための情報であることを特徴とする請求項１乃至５のいずれか１に記載の自動通話記録機能付き通話端末。
【請求項７】
前記記憶制御手段は、前記通話内容記憶手段への前記通話内容の記憶を、操作者の指示操作によらずに実行することを特徴とする請求項１乃至６のいずれか１に記載の自動通話記録機能付き通話端末。
【請求項８】
前記通話内容に加えて、画像情報を含む通信内容の送受信機能を有し、前記通話内容記憶手段は、前記通信内容を記憶することを特徴とする請求項１乃至７のいずれか１に記載の自動通話記録機能付き通話端末。
【発明の詳細な説明】
【技術分野】
【０００１】
この発明は、例えば、通話を録音できる携帯電話機等の自動通話記録機能付き通話端末に関する。
【背景技術】
【０００２】
従来より、例えば携帯電話機を使用するに当って、特に移動中や多忙な場合に受信予定の相手からの通話を一旦受けて録音し、その要件を後で確認したり記録しておきたいときに、移動通信事業者が提供する留守番電話サービス等の通話録音機能を利用することが行われている。
また、携帯電話機を、特に移動中や屋外で使用する場合に、要件について筆記でメモを取る手間を省くために、この携帯電話機を録音機に接続して通話内容を録音することもある。
【０００３】
しかしながら、再生時には、移動通信事業者が提供するサービスを利用する場合には、移動通信事業者が管理する通信管理センタのサーバにアクセスする必要があると共に、例えば、受信電波の電界強度によっては、アクセス不可の場合もあり、また、録音機等は常に持ち運んで携帯電話機に接続して使用する必要があり、いずれにしても、携帯電話機が本来有している利便性を損なわせるという問題があった。
このため、通話の内容を内蔵のメモリ等に録音する機能が備えられた電話機が提案されている（例えば、特許文献１、特許文献２参照。）。
【特許文献１】特開２０００−０３２１６９号公報
【特許文献２】特開２００２−２８１４６９号公報
【発明の開示】
【発明が解決しようとする課題】
【０００４】
解決しようとする問題点は、録音開始時及び録音終了時に、手動で操作する必要があり、操作を忘れて、必要な録音をし損なってしまう場合があるという点である。
【０００５】
この発明は、上述の事情に鑑みてなされたもので、利便性を維持しつつ、操作性を向上させることができると共に、通信内容を確実に記憶することができる自動通話記録機能付き通話端末を提供することを目的としている。
【課題を解決するための手段】
【０００６】
上記課題を解決するために、請求項１記載の発明に係る自動通話記録機能付き通話端末は、通話内容の記憶を開始させるための記憶開始指示情報及び上記通話内容の記憶を終了させるための記憶終了指示情報を含む記憶指示設定情報を記憶する設定情報記憶手段と、上記通話内容を記憶する通話内容記憶手段と、上記通話内容を、予め上記設定情報記憶手段に記憶された上記記憶指示設定情報に基づいて、上記通話内容記憶手段に記憶させる記憶制御手段とを備えたことを特徴としている。
【０００７】
また、請求項２記載の発明は、請求項１記載の自動通話記録機能付き通話端末に係り、上記設定情報記憶手段は、上記通話内容記憶手段に記憶された上記通話内容のうちの所定の通話内容を削除する際に用いられる削除設定情報を記憶し、上記記憶制御手段は、予め設定された上記削除設定情報に基づいて、上記通話内容記憶手段に記憶された上記通話内容を削除することを特徴としている。
【０００８】
また、請求項３記載の発明は、請求項２記載の自動通話記録機能付き通話端末に係り、上記記憶制御手段は、上記通話内容記憶手段の記憶容量が不足となった場合は、上記削除設定情報に基づいて、古い上記通話内容から削除して、代わりに、新しい上記通話内容を記憶させることを特徴としている。
【０００９】
また、請求項４記載の発明は、請求項２又は３記載の自動通話記録機能付き通話端末に係り、上記削除設定情報は、削除のための優先順位情報を含み、上記記憶制御手段は、上記通話内容記憶手段の記憶容量が不足となった場合は、上記優先順位情報に基づいて、上記通話内容を削除することを特徴としている。
【００１０】
また、請求項５記載の発明は、請求項１乃至４のいずれか１に記載の自動通話記録機能付き通話端末に係り、記通話内容について通話の相手先を識別して相手先識別情報を取得する相手先識別手段を備え、上記記憶設定情報は、上記通話内容を記憶すべき要記憶相手先情報を含み、上記記憶制御手段は、上記相手先識別情報及び上記要記憶相手先情報に基づいて、上記通話内容を選別して、上記通話内容記憶手段に記憶することを特徴としている。
【００１１】
また、請求項６記載の発明は、請求項１乃至５のいずれか１に記載の自動通話記録機能付き通話端末に係り、上記記憶開始指示情報は、通信確立時に上記記憶制御手段が上記通話内容記憶手段に上記通話内容の記憶を開始させるための情報であり、上記記憶終了指示情報は、通信切断時に上記記憶制御手段が上記通話内容記憶手段に上記通話内容の記憶を終了させるための情報であることを特徴としている。
【００１２】
また、請求項７記載の発明は、請求項１乃至６のいずれか１に記載の自動通話記録機能付き通話端末に係り、上記記憶制御手段は、上記通話内容記憶手段への上記通話内容の記憶を、操作者の指示操作によらずに実行することを特徴としている。
【００１３】
また、請求項８記載の発明は、請求項１乃至７のいずれか１に記載の自動通話記録機能付き通話端末に係り、上記通話内容に加えて、画像情報を含む通信内容の送受信機能を有し、上記通話内容記憶手段は、上記通信内容を記憶することを特徴としている。
【発明の効果】
【００１４】
この発明の構成によれば、記憶制御手段が、送受信した通話内容を、予め設定情報記憶手段に記憶された記憶指示設定情報に基づいて、通話内容記憶手段に、通話内容の記憶を開始させ、かつ、終了させるので、操作者は、記憶の開始時及び終了時に記憶のための操作を行う必要がないため、利便性を維持しつつ、操作性を向上させることができると共に、例えば、操作忘れによる記憶のし損ないを防止することができ、通話内容を確実に記憶することができる。
【発明を実施するための最良の形態】
【００１５】
記憶制御手段が、送受信した通話内容を、予め設定情報記憶手段に記憶された記憶指示設定情報に基づいて、通話内容記憶手段に、通話内容の記憶を開始させ、かつ、終了させることによって、操作者は、記憶の開始時及び終了時に記憶のための操作を行う必要がなく、利便性を維持しつつ、操作性を向上させることができると共に、例えば、操作忘れによる記憶のし損ないを防止することができ、通話内容を確実に記憶するという目的を実現した。
【実施例１】
【００１６】
図１は、この発明の第１実施例である携帯電話機の構成を示すブロック図、図２は、同携帯電話機が移動通信網を含むネットワークを介して別の携帯電話機と接続された様子を示すブロック図、図３は、同携帯電話機の音声処理部の構成を示すブロック図、また、図４乃至図６は、同携帯電話機の表示部に表示された操作画面の一例を示す図である。
【００１７】
この例の携帯電話機（自動通話記録機能付き通話端末）１は、折畳可能な筐体を備えると共に、本来の通話機能のほか、例えば電子メールの送受信やインターネットに接続してホームページの閲覧が可能なデータ通信機能に加えて、通話内容の自動録音機能を有し、図１に示すように、当該携帯電話機本体の構成各部を制御する制御部２と、制御部２が実行する処理プログラムや受信した通話内容等の各種データを記憶するための記憶部３と、アンテナ４を介して無線電波の送受信を行い、所定のプロトコルに従って通話やデータ通信を行うために用いられる無線通信部５と、音声信号の送受信時の圧縮符号化処理及び再生時の伸張復合化処理を行う音声処理部６と、折畳時に内側となる側に配設され液晶表示装置からなり例えば撮像画面や、機能設定画面、待受画面等が表示される主表示部８と、折畳時に外側となる側に配設され液晶表示装置からなる補助表示部９と、数字や文字の入力操作等を行うための多数の各種操作キー等からなる操作部１１と、送話音声を入力するマイクロフォンからなる送話部１２と、受話音声を出力するスピーカからなる受話部１３と、着信時に着信音を発生すると共に、撮影時に擬似シャッタ音を発生するリンガ発生部１４と、ＬＥＤを有し例えば着信時や通話時に発光する発光部１５とから概略構成されている。
【００１８】
なお、上記筐体は、ヒンジ部で相互に結合された上側筐体と下側筐体とからなり、ヒンジ部は、上側筐体と下側筐体とを回転自在に結合して当該携帯電話機１に折畳可能な構造を付与している。
この例の携帯電話機１は、最寄の基地局（不図示）を経由し、図２に示すように、移動通信網１６を介して、通信相手としての別の携帯電話機１７と接続され、携帯電話機１のユーザＡは、携帯電話機１７のユーザＢと通話が可能となる。また、移動通信網１６は、移動通信事業者Ｘが管理する通信管理センタ１８を介して、インターネット１９に接続可能とされている。
通信管理センタ１８は、ユーザ情報等を管理する情報管理サーバと、例えば携帯電話機２から送信されてきた電子メールや携帯電話機２へ送信された電子メールを蓄積し管理するメールサーバと、移動通信網１６を例えばインターネット１６に接続するための接続処理サーバとを有している。
【００１９】
制御部２は、ＣＰＵ（中央処理装置）等を有してなり、記憶部３に記憶された各種処理プログラムを実行し、記憶部３に確保された各種レジスタやフラグを用いて、構成各部を制御し、通信制御処理や、操作制御処理、記憶情報設定処理、通信内容記憶制御処理、記憶情報編集処理処理等を実行する。
記憶部３は、ＲＯＭ、ＲＡＭ等の半導体メモリ等からなり、制御部２が実行する通信制御処理プログラムや、操作制御処理プログラム、記憶情報設定処理プログラム、通信内容記憶制御処理プログラム、記憶情報編集処理プログラム、ホームページを閲覧するためのプログラムとしてのブラウザ、電子メールを作成したり送受信するためのプログラムとしてのメーラ等の各種処理プログラム等が記憶されたプログラム記憶領域と、通信内容や、各機能の設定情報や通信履歴情報、電話帳情報等の各種情報が記憶された情報記憶領域とを有すると共に、この記憶部３には、制御部２がプログラム実行時に用いる各種レジスタやフラグが確保されている。
【００２０】
上記プログラム記憶領域に記憶された通信制御処理プログラムには、例えば、所定の電話番号に対する発呼処理等を行うための手順が記述されている。
また、操作制御プログラムには、操作部１１の各種キーボタンからの入力情報を処理するための手順が記述されている。
また、記憶情報設定処理プログラムには、送受信される通信内容について、記憶する対象や、記憶時間、削除保護する対象、削除の際の優先順位等について予め設定して記憶部３に記憶するための手順が記述されている。
ここで、多数件分のデータのうち、所定のデータが、削除保護する通信内容として、設定されている場合は、自動削除の際にも保護される。
また、優先順位を設けず、自動削除オンに設定されている場合は、記憶容量が不足したときは、古いデータから削除して、新しいデータを記憶するものとする。
【００２１】
なお、この例では、制御部２が、記憶部３に、通信確立時に通信内容の記憶を開始させ、通信切断時に通信内容の記憶を終了させるように、すなわち、全通信時間に亘って通信内容が記憶されるように、記憶開始のタイミング等（記憶開始指示情報）及び記憶終了のタイミング等（記憶終了指示情報）が予め記憶部３に設定されている。
すなわち、制御部２は、発呼時に発呼先の着信が検知されるか、又は着信時に操作部１１における着信操作が検出されると、通信内容の記憶を開始させ、通話先の切断が検出されるか、又は操作部１１における切断操作が検出されると、記憶を終了させる。
【００２２】
また、通信内容記憶制御処理プログラムには、送受信される通信内容について音声処理部６に所定の処理を行わせ、記憶部３に記憶させるための手順が記述されている。
すなわち、制御部２は、発呼時に発呼先の着信が検知されか、又は着信時に操作部１１における着信操作が検出されると、通信内容としての例えば送話部１２のマイクロフォンからの入力信号及び受話部１３のスピーカへの出力信号を音声処理部６に入力させ、音声処理部６に圧縮符号化処理を行わせ、処理結果を記憶部３に記憶させ、通話先の切断が検出されると、又は操作部１１における切断操作が検出されると、記憶を終了させる。
【００２３】
また、記憶情報編集処理プログラムは、再生プログラムと、削除プログラムと、分割プログラムと、接続プログラムとを含んでいる。
再生プログラムには、操作部１１で再生操作が行われた場合に、記憶部３に記憶された通信内容を読み出して音声処理部６に所定の処理を行わせ、例えば受話部１３のスピーカから出力させるための手順が記述されている。
すなわち、制御部２は、操作部１１で再生操作が行われた場合に、記憶部３に記憶された通信内容を読み出して音声処理部６に伸張復号化処理を行わせ、例えば受話部１３のスピーカから出力させる。
【００２４】
削除プログラムには、操作部１１で削除操作が行われた場合に、不要な通信内容として指定された通信内容を削除するための手順が記述されている。
分割プログラムには、操作部１１で分割操作が行われた場合に、１件分の通信内容を複数件分に分割するための手順が記述されている。
接続プログラムには、操作部１１で接続操作が行われた場合に、複数件分の通信内容を例えば１件分の内容として纏めるための手順が記述されている。
【００２５】
無線通信部５は、ＲＦ回路や、変復調回路、ベースバンド処理回路等からなり、音声やデータを変調してアンテナ７を介して無線電波として送信すると共に、無線電波をアンテナ７を介して受信して音声やデータに復調し、所定のプロトコルに従って通話やデータ通信を行うために用いられる。
音声処理部６は、図３に示すように、例えばマイクロフォンから入力されデジタル化された音声信号に例えばＭＰＥＧ（Moving Picture Experts Group）４方式に従って圧縮符号化処理を施すエンコーダ部２１と、記憶部３から入力された音声データに伸張複合化処理を施すデコーダ部２２とを有している。
【００２６】
主表示部８は、上側筐体の折畳時に内側となる面に配設され例えば透過型の液晶表示装置を有してなっている。液晶表示装置は、液晶パネルと、液晶パネルに照明光を与えるバックライト装置と、液晶パネルを駆動する駆動回路とを有している。
液晶パネルは、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
補助表示部９は、上側筐体の折畳時に外側となる面の中央部に配設され、例えば透過型の液晶表示パネルを有してなり、現在時刻や着信通知等の表示がなされる。
【００２７】
操作部１１は、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、主表示部４７に表示された表示画面上のカーソルを上下左右方向へ移動させるためのカーソルキーと、例えば数字等を入力するためのテンキー群とを有している。
【００２８】
次に、図４乃至図６を参照して、上記構成の携帯電話機１の動作について説明する。
まず、ユーザＡが操作部１１のメニューキーを押下すると、制御部２は、主表示部８にメニュー画面を表示させる。さらに、ユーザＡの操作によって、図４に示すように、主表示部８に自動録音設定メニュー画面が表示させると、ユーザＡは、カーソルキーを用いて、この自動録音設定メニュー画面の「自動録音ＯＮ／ＯＦＦ」のアイコンにカーソルを合わせ、決定キーを押下すると、制御部２は、図５に示すように、自動録音ＯＮ／ＯＦＦ設定画面を主表示部８に表示させる。
ここで、ユーザＡが操作部１１のカーソルキーを用いて、「自動録音ＯＮ」のアイコンにカーソルを合わせ、決定キーを押下すると、制御部２は、自動録音オンに設定する。
【００２９】
この例では、通信確立時に通信内容の記憶を記憶部３に開始させ、通信切断時に通信内容の記憶を終了させるように、すなわち、全通信時間に亘って通信内容が記憶されるように、記憶開始のタイミング等及び記憶終了のタイミング等が予め記憶部３に設定されている。
次に、ユーザＡが操作部１１のカーソルキーを用いて、図４に示すように、自動録音設定メニュー画面の「自動削除ＯＮ／ＯＦＦ」のアイコンにカーソルを合わせ、決定キーを押下すると、制御部２は、自動削除ＯＮ／ＯＦＦ設定画面を主表示部８に表示させる。
【００３０】
ここで、ユーザＡが操作部１１のカーソルキーを用いて、「自動削除ＯＮ」のアイコンにカーソルを合わせ、決定キーを押下すると、制御部２は、自動削除をオンに設定し、記憶容量が不足したときは、古いデータから削除して、新しいデータを記憶させるようにする。
同様にして、多数件分のデータのうち、所定のデータが、削除保護する通信内容として、設定した場合には、自動録音設定メニュー画面の「保護」を選択操作して、記録一覧のなかから所定の件（ファイル）を選択する。これによって、この通信内容は、自動削除の際にも保護される。
【００３１】
制御部２は、発呼時に発呼先の着信が検知されるか、又は着信時に操作部１１における着信操作が検出されると、通信内容としての例えば送話部１２のマイクロフォンからの入力信号及び受話部１３のスピーカへの出力信号を音声処理部６に入力させ、音声処理部６に圧縮符号化処理を行わせ、処理結果を記憶部３に記憶させる。
また、制御部２は、通話先の切断が検出されるか、又は操作部１１における切断操作が検出されると、記憶を終了させる。
なお、記憶容量が不足したときは、古いデータから削除して、新しいデータを記憶させる。
【００３２】
通話終了後、ユーザＡがカーソルキーを用いて、自動録音設定メニュー画面の「編集」のアイコンにカーソルを合わせ、決定キーを押下すると、制御部２は、図６に示すように、編集メニュー画面を主表示部８に表示させる。
ここで、ユーザＡが操作部１１のカーソルキーを用いて、「再生」のアイコンにカーソルを合わせ、決定キーを押下すると、制御部２は、記録一覧を表示させる。ユーザＡが操作部１１のカーソルキーを用いて、所望の件にカーソルを合わせ、決定キーを押下すると、制御部２は、この件（ファイル）の通信内容について、記憶部３に記憶された通信内容を読み出して音声処理部６に伸張復号化処理を行わせ、例えば受話部１３のスピーカから出力させると共に、画像データがあるときは、同時に主表示部８に表示させる。
【００３３】
さらに、制御部２は、操作部１１で削除操作が行われた場合に、不要な通信内容として指定された通信内容を削除する。また、制御部２は、操作部１１で分割操作が行われた場合に、１件分の通信内容を複数件分に分割して記憶させる。また、制御部２は、操作部１１で接続操作が行われた場合に、複数件分の通信内容を例えば１件分の内容として纏めて記憶させる。
【００３４】
このように、この例の構成によれば、制御部２は、予め記憶部３に記憶された設定情報に基づいて、発呼時に発呼先の着信が検知されか、又は着信時に操作部１１における着信操作が検出されると、通信内容の記憶を開始させ、通話先の切断が検出されると、記憶を終了させ、全通信時間に亘って通信内容を記憶部３に自動的に記憶させるので、ユーザＡは、記憶の開始時及び終了時に記憶のための操作を行う必要がないので、利便性を維持しつつ、操作性を向上させることができると共に、例えば、操作忘れによる録音のし損ないを防止することができ、通信内容を確実に記憶することができる。
また、通信内容を内蔵の記憶部３に記憶させるので、外部環境に影響されることなく、記憶内容の再生や、削除、分割、接続等の編集を容易に実行することができる。
また、例えば、古いデータに代えて、新しいデータを記憶させることによって、記憶部３の記憶容量を有効に用いることができる。
【実施例２】
【００３５】
図７は、この発明の第２実施例である携帯電話機の構成を示すブロック図、図８は、同携帯電話機の音声・画像処理部の構成を示すブロック図、また、図９乃至図１０は、同携帯電話機の表示部に表示された操作画面の一例を示す図である。
この例が上述した実施例１と大きく異なるところは、実施例１では、内蔵の記憶部３に通話内容が記憶されたのに対して、内蔵された電子カメラによる撮影機能及びテレビ電話機能を有し、通話内容に加えて画像情報も記憶される点である。
【００３６】
この例の携帯電話機（自動通話記録機能付き通話端末）１Ａは、折畳可能な筐体を備えると共に、本来の通話機能のほか、例えば電子メールの送受信やインターネットに接続してホームページの閲覧が可能なデータ通信機能、内蔵された電子カメラによる撮影機能、及びテレビ電話機能に加えて、通信内容の自動録音・録画機能を有し、図７に示すように、当該携帯電話機本体の構成各部を制御する制御部２Ａと、制御部２Ａが実行する処理プログラムや受信した通信内容等の各種データを記憶するための記憶部３Ａと、アンテナ４を介して無線電波の送受信を行い、所定のプロトコルに従って通話やデータ通信を行うために用いられる無線通信部５と、音声信号及び画像信号の送受信時の圧縮符号化処理及び再生時の伸張復合化処理を行う音声・画像処理部６Ａと、例えば周囲の風景や人物等を撮影するための電子カメラユニット３１と、主表示部８と、補助表示部９と、操作部１１と、送話部１２と、受話部１３と、リンガ発生部１４と、発光部１５とから概略構成されている。
【００３７】
制御部２Ａは、ＣＰＵ（中央処理装置）等を有してなり、記憶部３Ａに記憶された各種処理プログラムを実行し、記憶部３Ａに確保された各種レジスタやフラグを用いて、構成各部を制御し、通信制御処理や、操作制御処理、記憶情報設定処理、通信内容記憶制御処理、記憶情報編集処理、撮像情報処理等を実行する。
記憶部３Ａは、ＲＯＭ、ＲＡＭ等の半導体メモリ等からなり、制御部２が実行する通信制御処理プログラムや、操作制御処理プログラム、記憶情報設定処理プログラム、通信内容記憶制御処理プログラム、記憶情報編集処理プログラム、撮像情報処理プログラム、ブラウザ、メーラ等の各種処理プログラム等が記憶されたプログラム記憶領域と、通信内容や、各機能の設定情報や通信履歴情報、電話帳情報等の各種情報が記憶された情報記憶領域とを有すると共に、この記憶部３Ａには、制御部２Ａがプログラム実行時に用いる各種レジスタやフラグが確保されている。
【００３８】
上記プログラム記憶領域に記憶された通信制御処理プログラムには、例えば、所定の電話番号に対する発呼処理等を行うための手順が記述されている。
また、記憶情報設定処理プログラムには、送受信される通信内容について、記憶する対象や、記憶時間、削除保護する対象、削除の際の優先順位等について予め設定して記憶部３に記憶するための手順が記述されている。
ここで、多数件分のデータのうち、所定のデータが、削除保護する通信内容として、設定されている場合は、自動削除の際にも保護される。
また、優先順位を設けず、自動削除オンに設定されている場合は、記憶容量が不足したときは、古いデータから削除して、新しいデータを記憶するものとする。
【００３９】
なお、この例では、制御部２Ａが、記憶部３Ａに、通信確立時に通信内容の記憶を開始させ、通信切断時に通信内容の記憶を終了させるように、すなわち、全通信時間に亘って通信内容が記憶されるように、記憶開始のタイミング等（記憶開始指示情報）及び記憶終了のタイミング等（記憶終了指示情報）が予め記憶部３Ａに設定されている。
すなわち、制御部２Ａは、発呼時に発呼先の着信が検知されるか、又は着信時に操作部１１における着信操作が検出されると、通信内容の記憶を開始させ、通話先の切断が検出されるか、又は操作部１１における切断操作が検出されると、記憶を終了させる。
【００４０】
また、通信内容記憶制御処理プログラムには、送受信される通信内容について音声・画像処理部６Ａに所定の処理を行わせ、記憶部３Ａに記憶させるための手順が記述されている。
すなわち、制御部２Ａは、発呼時に発呼先の着信が検知されか、又は着信時に操作部１１における着信操作が検出されると、通信内容としての例えば送話部１２のマイクロフォンからの入力信号及び受話部１３のスピーカへの出力信号を音声・画像処理部６Ａに入力させ、音声・画像処理部６Ａに圧縮符号化処理を行わせ、処理結果を記憶部３Ａに記憶させ、通話先の切断が検出されると、又は操作部１１における切断操作が検出されると、記憶を終了させる。
ここで、受信した情報のなかに画像情報を含む場合や、送信する情報のなかに電子カメラユニット３１によって撮像された画像情報を含む場合は、音声・画像処理部６Ａは、これらの画像情報についても圧縮符号化処理を行い、記憶部３Ａに記憶される。
【００４１】
また、記憶情報編集処理プログラムは、再生プログラムと、削除プログラムと、分割プログラムと、接続プログラムとを含んでいる。
再生プログラムには、操作部１１で再生操作が行われた場合に、記憶部３に記憶された通信内容を読み出して音声・画像処理部６Ａに所定の処理を行わせ、例えば受話部１３のスピーカから出力させるための手順が記述されている。
すなわち、制御部２は、操作部１１で再生操作が行われた場合に、記憶部３Ａに記憶された通信内容を読み出して音声・画像処理部６Ａに伸張復号化処理を行わせ、例えば受話部１３のスピーカから出力させる。
【００４２】
削除プログラムには、操作部１１で削除操作が行われた場合に、不要な通信内容として指定された通信内容を削除するための手順が記述されている。
分割プログラムには、操作部１１で分割操作が行われた場合に、１件分の通信内容を複数件分に分割するための手順が記述されている。
接続プログラムには、操作部１１で接続操作が行われた場合に、複数件分の通信内容を例えば１件分の内容として纏めるための手順が記述されている。
また、撮像情報処理プログラムには、電子カメラユニット７制御するためのカメラ制御プログラムが含まれていると共に、電子カメラユニット７に、撮像デバイスによる光電変換処理や、画像処理部によるアナログ／デジタル変換処理及び所定の画像処理を含む画像変換処理を実行させ、得られた画像情報を記憶部３に記憶させ、さらに、主表示部８に表示させるための手順が記述されている。
音声・画像処理部６Ａは、図８に示すように、エンコーダ部３２と、デコーダ部３３とを有している。
エンコーダ部３２は、例えばマイクロフォンから入力されデジタル化された音声信号に例えばＭＰＥＧ４方式に従って圧縮符号化処理を施す音声データエンコード処理部３４と、例えば電子カメラユニット７から入力されデジタル化された映像信号に、例えばＭＰＥＧ４方式に従って圧縮符号化処理を施す画像データエンコード処理部３５と、圧縮符号化された画像データと音声データとを多重するマルチプレクサ部３６とを有している。
また、デコーダ部３３は、音声データと画像データとを分離するデマルチプレクサ部３７と、デマルチプレクサ部３７から入力された音声データに伸張複合化処理を施す音声データデコード処理部３８と、デマルチプレクサ部３７から入力された画像データに伸張複合化処理を施す画像データデコード処理部３９とを有している。
【００４３】
電子カメラユニット３１は、上側筐体の折畳時に外側となる面に設けられ、被写体から到来した光が入射する撮影窓部と、撮影窓部の近傍に配置された例えば標準レンズからなるカメラレンズと、カメラレンズを介して結像した画像を光電変換して電気信号としての画像信号を出力するＣＣＤ撮像素子等からなる撮像デバイスと、撮像デバイスから送られてきた画像信号をＡ／Ｄ変換し、デジタル化した信号にガンマ変換、色空間変換等の画像処理を施す画像処理部とを有している。
【００４４】
次に、図９及び図１０を参照して、上記構成の携帯電話機１Ａの動作について説明する。
まず、ユーザＡが操作部１１のメニューキーを押下すると、制御部２Ａは、主表示部８にメニュー画面を表示させる。さらに、ユーザＡの操作によって、図９に示すように、主表示部８に自動録音・録画設定メニュー画面が表示させると、ユーザＡは、カーソルキーを用いて、この自動録音・録画設定メニュー画面の「自動録音・録画ＯＮ／ＯＦＦ」のアイコンにカーソルを合わせ、決定キーを押下すると、制御部２Ａは、図１０に示すように、自動録音・録画ＯＮ／ＯＦＦ設定画面を主表示部８に表示させる。
ここで、ユーザＡが操作部１１のカーソルキーを用いて、「自動録音・録画ＯＮ」のアイコンにカーソルを合わせ、決定キーを押下すると、制御部２Ａは、自動録音・録画をオンに設定する。
【００４５】
この例では、通信確立時に通信内容の記憶を記憶部３Ａに開始させ、通信切断時に通信内容の記憶を終了させるように、すなわち、全通信時間に亘って通信内容が記憶されるように、記憶開始のタイミング等及び記憶終了のタイミング等が予め記憶部３Ａに設定されている。
次に、ユーザＡが操作部１１のカーソルキーを用いて、図９に示すように、自動録音・録画設定メニュー画面の「自動削除ＯＮ／ＯＦＦ」のアイコンにカーソルを合わせ、決定キーを押下すると、制御部２Ａは、自動削除ＯＮ／ＯＦＦ設定画面を主表示部８に表示させる。
【００４６】
ここで、ユーザＡが操作部１１のカーソルキーを用いて、「自動削除ＯＮ」のアイコンにカーソルを合わせ、決定キーを押下すると、制御部２Ａは、自動削除をオンに設定し、記憶容量が不足したときは、古いデータから削除して、新しいデータを記憶させるようにする。
同様にして、多数件分のデータのうち、所定のデータが、削除保護する通信内容として、設定した場合には、自動録音・録画設定メニュー画面の「保護」を選択操作して、記録一覧のなかから所定の件（ファイル）を選択する。これによって、この通信内容は、自動削除の際にも保護される。
【００４７】
制御部２Ａは、発呼時に発呼先の着信が検知されるか、又は着信時に操作部１１における着信操作が検出されると、通信内容としての例えば送話部１２のマイクロフォンからの入力信号及び受話部１３のスピーカへの出力信号を音声・画像処理部６Ａに入力させ、音声・画像処理部６Ａに圧縮符号化処理を行わせ、処理結果を記憶部３Ａに記憶させる。
また、制御部２Ａは、通話先の切断が検出されるか、又は操作部１１における切断操作が検出されると、記憶を終了させる。
ここで、制御部２Ａは、この携帯電話機１が、例えばテレビ電話として用いられている場合に、受信した情報のなかに画像情報を含むときや、送信する情報のなかに電子カメラユニット７によって撮像された画像情報を含むときは、音声・画像処理部６Ａは、これらの画像情報についても圧縮符号化処理を行い、処理結果を記憶部３Ａに記憶される。
なお、記憶容量が不足したときは、古いデータから削除して、新しいデータを記憶させる。
【００４８】
通話終了後、ユーザＡがカーソルキーを用いて、自動録音・録画設定メニュー画面の「編集」のアイコンにカーソルを合わせ、決定キーを押下すると、制御部２Ａは、編集メニュー画面を主表示部８に表示させる。
ここで、ユーザＡが操作部１１のカーソルキーを用いて、「再生」のアイコンにカーソルを合わせ、決定キーを押下すると、制御部２Ａは、記録一覧を表示させる。ユーザＡが操作部１１のカーソルキーを用いて、所望の件にカーソルを合わせ、決定キーを押下すると、制御部２Ａは、この件（ファイル）の通信内容について、記憶部３Ａに記憶された通信内容を読み出して音声・画像処理部６Ａに伸張復号化処理を行わせ、例えば受話部１３のスピーカから出力させると共に、画像データがあるときは、同時に主表示部８に表示させる。
【００４９】
さらに、制御部２Ａは、操作部１１で削除操作が行われた場合に、不要な通信内容として指定された通信内容を削除する。また、制御部２Ａは、操作部１１で分割操作が行われた場合に、１件分の通信内容を複数件分に分割して記憶させる。また、制御部２Ａは、操作部１１で接続操作が行われた場合に、複数件分の通信内容を例えば１件分の内容として纏めて記憶させる。
【００５０】
このように、この例の構成によれば、制御部２Ａは、予め記憶部３Ａに記憶された設定情報に基づいて、発呼時に発呼先の着信が検知されか、又は着信時に操作部１１における着信操作が検出されると、通信内容の記憶を開始させ、通話先の切断が検出されると、記憶を終了させ、全通信時間に亘って通信内容を記憶部３Ａに自動的に記憶させるので、ユーザＡは、記憶の開始時及び終了時に記憶のための操作を行う必要がないので、利便性を維持しつつ、操作性を向上させることができると共に、例えば、操作忘れによる録音や録画のし損ないを防止することができ、通信内容を確実に記憶することができる。
また、通信内容を内蔵の記憶部３に記憶させるので、外部環境に影響されることなく、記憶内容の再生や、削除、分割、接続等の編集を容易に実行することができる。
また、例えば、古いデータに代えて、新しいデータを記憶させることによって、記憶部３の記憶容量を有効に用いることができる。
【実施例３】
【００５１】
この例が上述した実施例１と大きく異なるところは、実施例１では、内蔵の記憶部３に通信内容が記憶されたのに対して、内蔵の記憶部３に加えて、携帯電話機に対してコネクタを介して着脱可能なメモリスティックやスマートメディア、ＳＤメモリカード、マルチメディアカード、コンパクトフラッシュ（登録商標）等を記憶手段として用い、これらにも記憶可能なように構成した点である。
これ以外の構成は、上述した実施例１の構成と略同一であるので、その説明を省略する。
【００５２】
この例の構成によれば、上述した実施例１と略同様の効果を得ることができる。
加えて、メモリスチック等に記憶させて持ち運び、別の携帯電話機に装着して再生することもできるので、保存を容易とし、利便性を向上させることができる。
また、携帯電話機に記憶部の容量の不足を補い、全体の記憶容量を増大させることができる。
【００５３】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、ネットワークとして、移動通信網を用いて、この移動通信網を経由して、通信を行う場合について述べたが、もちろん、固定網を含めた場合にも、また、固定網のみの場合にも適用できるし、インターネットに接続する場合にも、接続しない場合にも適用できる。また、公衆回線に限らず、専用回線を含む場合にも適用できる。
また、自動／手動の切換スイッチを設け、さらに、手動設定時（自動解除時）に操作有効なオン／オフスイッチを設けるようにしても良い。
【００５４】
また、通話終了（切断）後、所定時間後に記憶終了とし、例えばユーザがコメントを録音できるようにしても良い。
また、例えば、圧縮符号化処理のために準拠する規格としては、ＭＰＥＧ４に限らず、ＭＰＥＧ２やMotionJＰＥＧ（Joint Photographic Experts Group）等であっても良い。
また、例えば、予め設定した優先順位に従って、通信内容の削除を行うようにしても良い。これによって、無駄な通信内容を記憶せず、必要な通信内容のみを記憶させて、検索を迅速に行うことができると共に、記憶容量を有効に用いることができる。
【００５５】
また、制御部は、機能別に複数設けるようにしても良い。
また、制御部に、通信内容について通信の相手先を識別して相手先識別情報を取得する相手先識別手段としての機能を持たせるようにしても良い。さらに、記憶部に、記憶設定情報として通信内容を記憶すべき要記憶相手先情報を記憶し、制御部は、相手先識別情報及び要記憶相手先情報に基づいて、通信内容を選別して、記憶部に記憶するようにしても良い。
【産業上の利用可能性】
【００５６】
通信端末としては、携帯電話機のほか、簡易型携帯電話（ＰＨＳ）端末を用いる場合に適用できる。また、無線通信のほか、有線通信による場合に適用できる。
【図面の簡単な説明】
【００５７】
【図１】この発明の第１実施例である携帯電話機の構成を示すブロック図である。
【図２】同携帯電話機が移動通信網を含むネットワークを介して別の携帯電話機と接続された様子を示すブロック図である。
【図３】同携帯電話機の音声処理部の構成を示すブロック図である。
【図４】同携帯電話機の表示部に表示された操作画面の一例を示す図である。
【図５】同携帯電話機の表示部に表示された操作画面の一例を示す図である。
【図６】同携帯電話機の表示部に表示された操作画面の一例を示す図である。
【図７】この発明の第２実施例である携帯電話機の構成を示すブロック図である。
【図８】同携帯電話機の音声・画像処理部の構成を示すブロック図である。
【図９】同携帯電話機の表示部に表示された操作画面の一例を示す図である。
【図１０】同携帯電話機の表示部に表示された操作画面の一例を示す図である。
【符号の説明】
【００５８】
１，１Ａ      携帯電話機（自動通話記録機能付き通話端末）
２，２Ａ      制御部（記憶制御手段）
３，３Ａ      記憶部（設定情報記憶手段、通話内容記憶手段）
６      音声処理部
３１      音声・画像処理部
Ａ      ユーザ（操作者）
【図１】
2005252632.tif 000003
【図２】
2005252632.tif 000004
【図３】
2005252632.tif 000005
【図４】
2005252632.tif 000006
【図５】
2005252632.tif 000007
【図６】
2005252632.tif 000008
【図７】
2005252632.tif 000009
【図８】
2005252632.tif 000010
【図９】
2005252632.tif 000011
【図１０】
2005252632.tif 000012